(57)【特許請求の範囲】
【請求項１】
携帯用情報機器を起立姿勢に保持可能なスタンド装置であって、
前記携帯用情報機器の少なくとも一部を覆うカバー部と、
該カバー部に折り返し可能に連設されたスタンド部と、を備え、
前記カバー部に装着された前記携帯用情報機器に接続される第１端子と、
該第１端子と電気的に接続され前記スタンド部を折り返したときにアクセサリ機器と接続可能な第２端子と、を有することを特徴とするスタンド装置。
【請求項２】
請求項１に記載のスタンド装置において、
前記第２端子は、前記アクセサリ機器から突出したアクセサリ機器側端子が摺接可能な円弧形状を有することを特徴とするスタンド装置。
【請求項３】
請求項１または２に記載のスタンド装置において、
前記スタンド部は、把持可能なハンドルを有することを特徴とするスタンド装置。
【請求項４】
請求項１から３のいずれか一項に記載のスタンド装置において、
前記スタンド部を前記カバー部から折り返したときに露出する部分に前記携帯用情報機器の入力手段となるペンを収容可能な凹部を有することを特徴とするスタンド装置。
【請求項５】
請求項４に記載のスタンド装置において、
前記凹部に前記第２端子が配置されていることを特徴とするスタンド装置。
【請求項６】
請求項１から５のいずれか一項に記載のスタンド装置と、前記第１端子と接続可能な携帯用情報機器側端子を有しかつ前記カバー部に装着可能な携帯用情報機器と、前記第２端子に接続可能なアクセサリ機器側端子を有するアクセサリ機器と、を備えることを特徴とする電子機器。 
【発明の詳細な説明】
【技術分野】
【０００１】
本発明は、携帯用情報機器を起立姿勢に保持可能なスタンド装置、およびこのスタンド装置と携帯用情報機器とを備える電子機器に関する。
【背景技術】
【０００２】
近年、タッチパネル式の液晶ディスプレイを有し、物理的なキーボードを持たないタブレット型パーソナルコンピュータ（タブレット型ＰＣ、携帯用情報機器）が急速に普及している。タブレット型ＰＣは、通常、手で把持した状態で操作する場合と、机上等に置いた状態で操作する場合とがあり、机上等に置いた状態で操作する場合には、スタンドを利用して立てた状態で使用されることもある。
【０００３】
このようなタブレット型ＰＣは物理的なキーボードを持たないため、長文の入力作業などに支障を生じる場合がある。特に、スタンドで立てて利用する際には、文字の入力が一層難しくなる。例えば、特許文献１には、タブレット型ＰＣを起立姿勢に保持可能なスタンド機構を搭載するとともに、筐体の上面には入力用のキーボード装置を備えたアクセサリ機器が開示されている。
【０００４】
また、タブレット型ＰＣは、筐体を保護するために筐体をタブレットカバーで覆うことがある。例えば、特許文献２には、タブレット型ＰＣの筐体の側面および背面を覆うカバー本体と、このカバー本体の背面側に設けられたスタンドとを備えたタブレットカバー（スタンド装置）が開示されている。
【先行技術文献】
【特許文献】
【０００５】
【特許文献１】特開２０１４−５６４０５号公報
【特許文献２】特開２０１４−６７３３２号公報
【発明の概要】
【発明が解決しようとする課題】
【０００６】
ところで、特許文献２に記載のようなタブレットカバーによってタブレットＰＣの筐体全体を覆った場合、例えばタブレット型ＰＣの筐体の側面に設けられた外部入力端子なども覆うことになる。これにより、特許文献１に記載のようなキーボードを備えたスタンドなどのアクセサリ機器を接続することができなくなってしまう。
【０００７】
本発明は、上記に鑑みてなされたものであって、携帯用情報機器をカバーで覆った場合でもアクセサリ機器を接続可能なスタンド装置、およびこのスタンド装置を備えた電子機器を提供することを目的とする。
【課題を解決するための手段】
【０００８】
上述した課題を解決し、目的を達成するために、本発明に係るスタンド装置は、携帯用情報機器を起立姿勢に保持可能なスタンド装置であって、前記携帯用情報機器の少なくとも一部を覆うカバー部と、該カバー部に折り返し可能に連設されたスタンド部と、を備え、前記カバー部に装着された前記携帯用情報機器に接続される第１端子と、該第１端子と電気的に接続され前記スタンド部を折り返したときにアクセサリ機器と接続可能な第２端子と、を有することを特徴とする。
【０００９】
このような構成によれば、カバー部に装着された携帯用情報機器に接続される第１端子と、該第１端子と電気的に接続されスタンド部を折り返したときにアクセサリ機器と接続可能な第２端子とを有しているので、携帯用情報機器をカバー部で覆っている場合でも携帯用情報機器を第１端子に接続し、アクセサリ機器を第２端子に接続することにより、アクセサリ機器を携帯用情報機器に接続することが可能である。
【００１０】
また、本発明に係るスタンド装置において、前記第２端子は、前記アクセサリ機器から突出したアクセサリ機器側端子が摺接可能な円弧形状を有することを特徴とする。この場合、第２端子はアクセサリ機器側端子が摺接可能な円弧形状を有するので、スタンド装置において携帯用情報機器の角度の調節を行っても、アクセサリ機器側端子を第２端子に確実に接続することが可能である。
【００１１】
また、本発明に係るスタンド装置において、前記スタンド部は、把持可能なハンドルを有することを特徴とする。この場合、スタンド装置に携帯用情報機器を装着した状態で、使用者が手でスタンド部のハンドルを把持して、携帯用情報機器を操作することができる。
【００１２】
また、本発明に係るスタンド装置において、前記スタンド部を前記カバー部から折り返したときに露出する部分に前記携帯用情報機器の入力手段となるペンを収容可能な凹部を有することを特徴とする。このように、凹部を設けることで、ペンを収容する収容空間を形成でき、スタンド装置を小型化することができる。
【００１３】
また、本発明に係るスタンド装置において、前記凹部に前記第２端子が配置されていることを特徴とする。この場合、凹部に第２端子が配置されていることにより、よりスタンド装置を小型化することができる。
【００１４】
本発明に係る電子機器は、前述のスタンド装置と、前記第１端子と接続可能な携帯用情報機器側端子を有しかつ前記カバー部に装着可能な携帯用情報機器と、前記第２端子に接続可能なアクセサリ機器側端子を有するアクセサリ機器と、を備えることを特徴とする。
【発明の効果】
【００１５】
本発明によれば、携帯用情報機器をカバーで覆った場合でもアクセサリ機器を接続可能である。
【図面の簡単な説明】
【００１６】
【図１】図１は、本発明の実施形態に係るスタンド装置および電子機器の斜視図である。
【図２】図２は、本発明の実施形態に係るスタンド装置および電子機器を分解した斜視図である。
【図３】図３は、本発明の実施形態に係る電子機器の斜視図である。
【図４】図４は、本発明の実施形態に係る電子機器の要部を拡大した概略図である。
【図５】図５は、図４に示す電子機器を分解した状態を示す概略図である。
【図６】図６は、図４に示す電子機器において、起立角度を変えたときの状態を示す概略図である。
【図７】図７は、本発明の他の実施形態に係るスタンド装置および電子機器の概略説明図である。
【図８】図８は、図７に示す電子機器の要部を拡大した概略図である。
【発明を実施するための形態】
【００１７】
以下に添付図面を参照して、本発明に係るスタンド装置、およびこのスタンド装置を備えた電子機器の好適な実施形態について詳細に説明する。なお、以下の実施形態により本発明が限定されるものではない。また、各図面において、同一又は対応する要素には適宜同一の符号を付し、重複した説明を適宜省略する。
【００１８】
図１は、本発明の実施形態に係るスタンド装置１０および電子機器１の斜視図である。図２は、本発明の実施形態に係るスタンド装置１０および電子機器１を分解した斜視図である。なお、図２においては、一部が２点鎖線で示されている。図３は、本発明の実施形態に係る電子機器１の斜視図である。図４は、本発明の実施形態に係る電子機器１の要部を拡大した概略図である。図５は、図４に示す電子機器１を分解した状態を示す概略図である。図１〜３に示すように、電子機器１は、タブレット型ＰＣ２０と、スタンド装置１０と、該スタンド装置１０に装着可能なキーボードユニット３０と、を備えている。
【００１９】
本実施形態では、携帯用情報機器としてタブレット型ＰＣ２０を例示している。キーボードユニット３０は、タブレット型ＰＣ２０の機能を拡張するアクセサリ機器である。キーボードユニット３０は、タブレット型ＰＣ２０をスタンド装置１０によって所望の起立姿勢で保持することができる。携帯用情報機器はスマートフォン等でもよく、アクセサリ機器はキーボードを持たないバッテリユニット等でもよい。
【００２０】
図１に示すように、タブレット型ＰＣ２０（以下、単に「タブレット２０」ともいう）はタッチ操作可能なディスプレイ２１を備える。タブレット２０は、板状構造を有する端末筐体２２の内部に基板、演算装置、メモリ等の各種電子部品を収納して構成されている。タブレット２０は、スタンド装置１０（後述する端子部材４０）に電気的に接続可能なタブレット側端子２３を備えている（図４参照）。端末筐体２２の側面のうち、タブレット２０を起立姿勢にしたときに下面側となる一側面には凹部２４が形成されており、この凹部２４内にタブレット側端子２３が設けられている。本実施形態において、タブレット側端子２３は、板状の接点部材とされている。
【００２１】
キーボードユニット３０（以下、単に「ユニット３０」ともいう）は、板状構造を有する機器筐体３１と、この機器筐体３１に設けられタブレット２０の外部入力手段として機能する物理的なキーボード３２と、を備える。ユニット３０は、タブレット２０をノートブック型パーソナルコンピュータ（ノート型ＰＣ）のように機能させ、その利便性を向上させることができる。ユニット３０は、キーボード等の入力手段以外、例えばバッテリやハードディスクドライブ装置、光学ディスクドライブ装置等を備えてもよい。
【００２２】
ユニット３０は、スタンド装置１０（後述する端子部材）に電気的に接続可能なユニット側端子３３を備えている（図４参照）。本実施形態においてユニット側端子３３は、いわゆるポゴピン方式の端子であり、例えば基端部３３ａと、筒体部３３ｂと、弾性部材３３ｃと、この弾性部材に接続された先端部３３ｄと、を備えている。
【００２３】
このユニット側端子３３は、ユニット３０の機器筐体３１のうちスタンド装置１０と近接する側に設けられており、ユニット３０の機器筐体３１から突出している。先端部３３ｄは対向する他の端子（端子部材４０）に接触する接点部となるものであり、先端部３３ｄにおいて基端側に力が付与されると弾性部材３３ｃが縮み、弾性部材３３ｃによって先端部３３ｄが対向する他の端子側に付勢され、先端部３３ｄが他の端子を押圧する。図５においては、電子機器１において、タブレット２０およびユニット３０をスタンド装置１０から取り外した状態を示している。
【００２４】
スタンド装置１０は、タブレット２０（携帯用情報機器）を起立姿勢に保持可能な装置であり、タブレット２０の少なくとも一部を覆うカバー部１１と、このカバー部１１に折り返し可能に連設されたスタンド部１２と、前述のタブレット側端子２３およびユニット側端子３３に接続可能な端子部材４０と、を備えている。
【００２５】
カバー部１１は、タブレット２０の端末筐体２２を覆うように形成されている。本実施形態では、端末筐体２２の背面および外周縁を覆うように形成されており、端末筐体２２の側面の全面がカバー部１１により覆われ、露出しないようになっている。スタンド装置１０によりタブレット２０を起立姿勢にする場合、カバー部１１のうちスタンド部１２側が載置面側となる。
【００２６】
スタンド部１２は、載置面に接する面を有する板状に形成されている。このスタンド部１２は、ヒンジ１３を介してカバー部１１に対して回動可能に設けられている。また、スタンド部１２は、使用者が把持可能なハンドル１４を有している。
【００２７】
また、スタンド装置１０においては、スタンド部１２をカバー部１１から折り返したときに露出する部分に、タブレット２０の入力手段となるペン３８（ペン型入力機器）を収容可能な凹部１５を有している。図２に示すように、スタンド部１２を折り返した状態において、凹部１５から使用者はペン３８を取り出したり、凹部１５にペン３８を収容したりすることができる。また、ユニット３０をスタンド装置１０に装着する場合、凹部１５にユニット３０の端部３０ａが嵌め込まれる。本実施形態では、この凹部１５は、カバー部１１に形成されている。
【００２８】
端子部材４０は、カバー部１１に装着されたタブレット２０（携帯用情報機器）に接続される第１端子４１と、この第１端子４１と電気的に接続されスタンド部１２を折り返したときにユニット３０（アクセサリ機器）と接続可能な第２端子４２と、を有する。本実施形態においては、第１端子４１と第２端子４２とが一体に形成された端子部材４０の場合を図示しているが、第１端子と第２端子とがそれぞれ離れて設けられ電気配線などで接続された構成としても良い。
【００２９】
第１端子４１は、前述のユニット側端子３３と同様の構成とされており、基端部４１ａと、筒体部４１ｂと、弾性部材４１ｃと、この弾性部材４１ｃに接続された先端部４１ｄと、を備えている。この先端部４１ｄは、カバー部１１の内方に向くとともにカバー部１１の内面側から突出しており、第１端子４１は、タブレット側端子２３と電気的に接続可能に配置されている。
【００３０】
本実施形態において、第２端子４２は、凹部１５内に配置されており、スタンド部１２をカバー部１１から折り返していない状態では第２端子４２は露出せず、スタンド部１２をカバー部１１から折り返した状態では第２端子４２が露出する。図４および図５に示すように、第２端子４２は側面視において円弧状の形状を有し、円弧の内側にユニット側端子３３が摺接可能とされている。第２端子４２は、凹部１５の面に沿って設けられている。
【００３１】
図６は、図４に示す電子機器１において、起立角度を変えたときの状態を示す概略図である。具体的には、図４においては、タブレット２０が載置面に対して１２０°の方向に起立した状態に保持されており、図６においては、タブレット２０が載置面に対して９０°の方向に起立した状態に保持されている。図６に示すように、第２端子４２は円弧形状を有しているので、タブレット２０の起立角度が変化しても、第２端子４２がヒンジ１３の回転の軸芯回りに回転するように移動する。これにより、ユニット側端子３３が第２端子４２の内周面を摺接するので、タブレット２０の起立角度を調整しても第２端子４２とユニット側端子３３との電気的な接続が維持される。
【００３２】
以上のような構成とされた本実施形態に係るスタンド装置１０および電子機器１においては、カバー部１１に装着されたタブレット２０に接続される第１端子４１と、第１端子４１と電気的に接続されスタンド部１２を折り返したときにユニット３０と接続可能な第２端子４２とを備えているので、タブレット２０をカバー部１１で覆っている場合でもタブレット２０を第１端子４１に接続し、ユニット３０を第２端子４２に接続してユニット３０をタブレット２０に電気的に接続することができ、タブレット２０をユニット３０により操作可能となる。
【００３３】
また、スタンド部１２は、使用者が把持可能なハンドル１４を有しているので、スタンド装置１０にタブレット２０を装着した状態で、使用者が手でスタンド部１２のハンドル１４を把持して、タブレット２０を操作することができる（図１参照）。
【００３４】
また、スタンド装置１０は、スタンド部１２をカバー部１１から折り返したときに露出する部分にタブレット２０の入力手段となるペン３８を収容可能な凹部１５を有しており、凹部１５をペン３８の収容空間として用いることにより、スタンド装置１０を小型化することができる。
【００３５】
また、スタンド装置１０において、凹部１５に第２端子４２が配置されているので、よりスタンド装置１０を小型化することができる。また、本実施形態では、第２端子４２はユニット側端子３３が摺接可能な円弧形状を有するので、スタンド装置１０においてタブレット２０の起立角度の調節を行っても、ユニット側端子３３を第２端子４２に確実に接続することが可能である。
【００３６】
なお、本発明は、上記した実施形態に限定されるものではなく、本発明の趣旨を逸脱しない範囲で自由に変更できることは勿論である。例えば、上記実施形態では、第１端子４１およびユニット側端子３３がポゴピンタイプの端子の場合について説明したが、これに限定されるものではなく、他のコネクタであってもよい。また、第２端子およびタブレット側端子をポゴピンタイプの端子で構成し、これらに接続可能となるような第１端子およびユニット側端子に変更しても良い。
【００３７】
また、スタンド装置１０は、上記実施形態で説明したスタンド装置に限定されるものではなく、例えばカバー部１１１の背面側に連接されたスタンド部１１２を有するスタンド装置１１０としても良い。図７は、本発明の他の実施形態に係るスタンド装置１１０および電子機器１０１の概略図である。図７において左側の図は電子機器１０１がアクセサリ機器３０に接続していない状態を示し、図７において右側の図は電子機器１０１をアクセサリ機器３０に接続するとともに携帯用情報機器２０を起立姿勢にした状態を示している。図８は、図７に示す電子機器１０１の要部を拡大した概略説明図である。
【００３８】
電子機器１０１は、スタンド装置１１０と、第１端子４１と接続可能な携帯用情報機器側端子２３を有しかつカバー部１１１に装着可能な携帯用情報機器２０と、第２端子４２に接続可能なアクセサリ機器側端子３３を有するアクセサリ機器３０と、を備えている。
【００３９】
スタンド装置１１０は、携帯用情報機器２０を覆うカバー部１１１と、カバー部１１１の背面側に設けられ折り返し可能に連設されたスタンド部１１２とを備え、さらに、カバー部１１１に装着された携帯用情報機器２０に接続される第１端子４１と、第１端子４１と電気的に接続されスタンド部１１２を折り返したときにアクセサリ機器３０と接続可能な第２端子４２とを有している。
【００４０】
このスタンド部１１２においては、カバー部１１１の背面側の中央付近を支点に背面側に折り返してスタンド部１１２の先端を載置面に載置させ、この先端を、スタンド装置１１０（携帯用情報機器２０）を起立させるときの支持点としている。上記のような構成とされたスタンド装置１１０および電子機器１０１においても、スタンド装置１０および電子機器１と同様の効果を奏する。
【符号の説明】
【００４１】
１、１０１  電子機器
１０、１１０  スタンド装置
１１、１１１  カバー部
１２、１１２  スタンド部
１３  ヒンジ
１４  ハンドル
１５  凹部
２０  タブレット型ＰＣ（タブレット、携帯用情報機器）
２１  ディスプレイ
２２  端末筐体
２３  タブレット側端子（携帯用情報機器側端子）
２４  凹部
３０  キーボードユニット（ユニット、アクセサリ機器）
３０ａ  端部
３１  機器筐体
３２  キーボード
３３  ユニット側端子（アクセサリ機器側端子）
３３ａ、４１ａ  基端部
３３ｂ、４１ｂ  筒体部
３３ｃ、４１ｃ  弾性部材
３３ｄ、４１ｄ  先端部
３８  ペン
４０  端子部材
４１  第１端子
４２  第２端子 
【要約】
【課題】携帯用情報機器をカバーで覆った場合でもアクセサリ機器を接続可能なスタンド装置、およびこのスタンド装置を備えた電子機器を提供する。
【解決手段】携帯用情報機器２０の少なくとも一部を覆うカバー部１１と、該カバー部１１に折り返し可能に連設されたスタンド部１２と、を備え、カバー部１１に装着された携帯用情報機器２０に接続される第１端子４１と、該第１端子４１と電気的に接続されスタンド部１２を折り返したときにアクセサリ機器３０と接続可能な第２端子４２と、を有することを特徴とする。
【選択図】図４【図１】
0005947966.tif 000002
【図２】
0005947966.tif 000003
【図３】
0005947966.tif 000004
【図４】
0005947966.tif 000005
【図５】
0005947966.tif 000006
【図６】
0005947966.tif 000007
【図７】
0005947966.tif 000008
【図８】
0005947966.tif 000009